(57)【要約】【課題】  被包装物の十分な保護を図るとともに、取出口の不用意な開封を防ぎ、被包装物の取り出しに際しては、取出口を容易に開封できるようにした包装袋及びその包装袋を用いたロール製品パッケージを得る。【解決手段】  被包装物を包装する袋本体部３を備えた包装袋１であって、袋本体部３を、横引き裂き性樹脂フィルムの両面に熱可塑性樹脂フィルムを積層したフィルム体２で、横引き裂き性樹脂フィルムの流れ方向が袋本体部３の上下方向を向くようにして成形し、袋本体部３の側面には、袋本体部３の横方向へ引っ張り袋本体部３を切り裂いて取出口を開封するためのミシン目６からなる開封開始部７を設けた。【選択図】    図１
2018034833.tif 000002
【特許請求の範囲】
【請求項１】
被包装物を包装する袋本体部を備えた包装袋であって、前記袋本体部は、横引き裂き性樹脂フィルムの両面に熱可塑性樹脂フィルムを積層したフィルム体で、前記横引き裂き性樹脂フィルムの流れ方向が前記袋本体部の上下方向を向くようにして成形され、前記袋本体部の側面には、前記袋本体部の横方向へ引っ張り前記袋本体部を切り裂いて取出口を開封するためのミシン目からなる開封開始部が設けられていることを特徴とする包装袋。
【請求項２】
前記ミシン目からなる前記開封開始部は、上下に略平行に配置され横方向に延在する上側横方向切り込み線部及び下側横方向切り込み線部と、上側横方向切り込み線部と下側横方向切り込み線部の間に配置され上側横方向切り込み線部と下側横方向切り込み線部を繋ぐように上下方向に延在する上下方向切り込み線部とで構成されていることを特徴とする請求項１に記載の包装袋。
【請求項３】
前記開封開始部は、前記上側横方向切り込み線部及び前記下側横方向切り込み線部の長さが１０ｍｍ以上、前記上下方向切り込み線部の長さが２０ｍｍ以上〜５０ｍｍ以下であることを特徴とする請求項２に記載の包装袋。
【請求項４】
前記開封開始部は、前記上下方向切り込み線部の長さが前記袋本体部の横方向の全周の長さの４％以上、８％以下であることを特徴とする請求項２または３に記載の包装袋。
【請求項５】
前記開封開始部は、略エ字型、略Ｚ字型あるいは略コ字型であることを特徴とする請求項２乃至４のいずれか１項に記載の包装袋。
【請求項６】
前記横引き裂き性樹脂フィルムは、ガスバリア性樹脂フィルムであることを特徴とする請求項１乃至５のいずれか１項に記載の包装袋。
【請求項７】
前記ガスバリア性樹脂フィルムは、エチレン・ビニルアルコール共重合体からなることを特徴とする請求項６に記載の包装袋。
【請求項８】
前記フィルム体の厚さは２０μｍ以上、４０μｍ以下、前記横引き裂き性樹脂フィルムの厚さは前記フィルム体全体の３％以上、１３％以下であることを特徴とする請求項６または７に記載の包装袋。
【請求項９】
請求項１乃至８のいずれか１項に記載の包装袋の前記袋本体部でロール製品を包装したロール製品パッケージであり、複数個のロール製品が前記袋本体部に上下に重ねられて複数列包装されていることを特徴とするロール製品パッケージ。
【請求項１０】
前記袋本体部の側面に設けられている前記開封開始部は、上下に重ねられたロール製品の境界部で、横方向に隣接するロール製品の中間部に設けられていることを特徴とする請求項９に記載のロール製品パッケージ。
【発明の詳細な説明】
【技術分野】
【０００１】
本発明は開封が容易な包装袋及びその包装袋を用いたロール製品パッケージに関する。
【背景技術】
【０００２】
例えば、トイレットペーパー、キッチンペーパーなどのロール製品を複数個纏めて包装する包装袋として、樹脂フィルムで成形された包装袋が多く使用されており、包装袋には取出口を形成するミシン目が設けられた包装袋が多く使用されている。
従来、このような包装袋として、包装袋の水平方向の全周にわたり少なくとも１本以上のミシン目からなる切込線が設けられており、ミシン目を切り裂いて取出口を形成する包装袋が開示されている（例えば特許文献１参照。）。
【０００３】
また、複数の紙製衛生物品を収容する袋本体部を備える包装袋であって、袋本体部はフィルムを成形してなり、フィルム体の引き伸ばし方向である上下方向と略平行に延在する側面部を有し、側面部には上下２本の直線状部で構成されるミシン目が左右方向に延在するように設けられており、ミシン目を切り裂くことにより取出口を形成する包装袋が開示されている（例えば特許文献２参照。）。
【先行技術文献】
【特許文献】
【０００４】
【特許文献１】実開平６−３００８０号公報
【特許文献２】特開２０１２−１２１５９２号公報
【発明の概要】
【発明が解決しようとする課題】
【０００５】
しかしながら、特許文献１、２に記載されている包装袋は、取出口をミシン目で形成しているため、ミシン目の設けられている範囲が広く、上下方向の引っ張り力に対する引き裂き強度が弱く、取り扱い中にミシン目を設けた部分に物や指等が当たった場合、ミシン目が破断して孔ができてしまうことがある。特に，包装袋を成形する樹脂フィルムが横引き裂き性樹脂フィルムである場合、上下方向の引っ張り力に対する引き裂き強度が一層弱くなり、被包装物の十分な保護が図れなくなる場合があるといった問題がある。
【０００６】
また、取出口はミシン目で形成されるため、ミシン目を形成する切れ目部が包装袋に広い範囲で多数存在することになり、包装袋の内外で空気が容易に出入りできてしまうため、ミシン目から外気や菌などが包装袋内へ侵入するおそれがあるといった問題がある。
【０００７】
また、被包装物が香り付きの製品である場合、製造後の流通、保管、店頭での陳列、家庭での保管等で長期間保存しても、包装袋から香料が揮散して使用時には製品の香りが弱くなったり、香料が変質したり、他の製品に香りが移ってしまうといったことを防止するため、包装袋を香料の透過性を抑えた樹脂フィルムで成形することが行われている。しかし、開封時に取出口から被包装物の取り出しを容易にするためミシン目を広く設けると香りの密封性は保てない。ミシン目を封止し密封性を保つものとしてミシン目の部分にテープ材を貼付したものもあるが（特許第５１９８０９０号公報）、コスト面等で問題がある。
【０００８】
本発明の目的は、被包装物の十分な保護を図るとともに、取出口の不用意な開封を防ぎ、被包装物の取り出しに際しては、取出口を容易に開封できるようにした包装袋及びその包装袋を用いたロール製品パッケージを提供することにある。
【課題を解決するための手段】
【０００９】
上記の目的を達成するために、請求項１に記載の発明は、被包装物を包装する袋本体部を備えた包装袋であって、前記袋本体部は、横引き裂き性樹脂フィルムの両面に熱可塑性樹脂フィルムを積層したフィルム体で、前記横引き裂き性樹脂フィルムの流れ方向が前記袋本体部の上下方向を向くようにして成形され、前記袋本体部の側面には、前記袋本体部の横方向へ引っ張り前記袋本体部を切り裂いて取出口を開封するためのミシン目からなる開封開始部が設けられていることを特徴とする。
【００１０】
請求項１に記載の発明によれば、前記袋本体部にあって、ミシン目は取出口を開封する全域に設けられているのでは無く、取出口を開封するための前記開封開始部の部分のみがミシン目となっているので、ミシン目を通して前記袋本体部の内外を流通する空気は僅かであり、被包装物を包装した包装袋の流通、保管、店頭での陳列、家庭での保管等で長期間保存しても、外気や菌などがミシン目から袋本体部内へ侵入することを抑えることができる。
また、前記のように、前記開封開始部の部分のみがミシン目となっており、しかも前記袋本体部は、横方向に引き裂き易い前記横引き裂き性樹脂フィルムの両面に前記熱可塑性樹脂フィルムを積層したフィルム体で成形されているので、前記袋本体部の側面に衝撃を受けても、ミシン目の範囲が狭いことと前記熱可塑性樹脂フィルムがフィルム体の破断を抑えることから前記取出口の不用意な開口を効果的に防止することができる。
そして、前記取出口の開封にあっては、ミシン目からなる前記開封開始部を指で押してミシン目を破断し、開封開始部片を摘まんで前記袋本体部の側面の周囲に沿って横方向に引っ張る。これにより、フィルム体における前記横引き裂き性樹脂フィルムが、その性質により容易に横方向に引き裂かれ、前記横引き裂き性樹脂フィルムの引き裂きに伴って、前記横引き裂き性樹脂フィルムの両面に積層されている熱可塑性樹脂フィルムが引き裂かれるようにしてフィルム体が引き裂かれ、前記袋本体部の側面に、横方向に取出口を開封することができる。
【００１１】
請求項２に記載の発明は、請求項１に記載の包装袋であって、前記ミシン目からなる前記開封開始部は、上下に略平行に配置され横方向に延在する上側横方向切り込み線部及び下側横方向切り込み線部と、上側横方向切り込み線部と下側横方向切り込み線部の間に配置され上側横方向切り込み線部と下側横方向切り込み線部を繋ぐように上下方向に延在する上下方向切り込み線部とで構成されていることを特徴とする。
【００１２】
請求項２に記載の発明によれば、前記ミシン目からなる前記開封開始部を構成する前記上下方向切り込み線部を指で押すことにより、前記上下方向切り込み線部と、前記上側横方向切り込み線部及び前記下側横方向切り込み線部が切断され、前記開封開始部を開封開始部片として立ち上げることができ、前記開封開始部片を摘まみ、前記開封開始部片を前記袋本体部の側面の周囲に沿って横方向に引っ張るといった簡単な手段により、前記フィルム体は前記横引き裂き性樹脂フィルムの性質により前記上側横方向切り込み線部及び前記下側横方向切り込み線部の端部から延長線方向に引き裂かれて、前記袋本体部の側面に、横方向に取出口を開封することができる。
【００１３】
請求項３に記載の発明は、請求項２に記載の包装袋であって、前記開封開始部は、前記上側横方向切り込み線部及び前記下側横方向切り込み線部の長さが１０ｍｍ以上、前記上下方向切り込み線部の長さが２０ｍｍ以上〜５０ｍｍ以下であることを特徴とする。
【００１４】
請求項３に記載の発明によれば、前記開封開始部は、前記上側横方向切り込み線部及び前記下側横方向切り込み線部の長さが１０ｍｍ以上、前記上下方向切り込み線部の長さが２０ｍｍ以上〜５０ｍｍ以下であるので、前記開封開始部を構成する前記上下方向切り込み線部を指で押して、前記上下方向切り込み線部と、前記上側横方向切り込み線部及び前記下側横方向切り込み線部を切断して、前記開封開始部を立ち上げた開封開始部片は摘まみ易く、且つ前記開封開始部片を前記袋本体部の側面の周囲に沿って横方向に引っ張ったとき、前記上側横方向切り込み線部及び前記下側横方向切り込み線部に効果的に引っ張り力を伝達することができる。
【００１５】
請求項４に記載の発明は、請求項２または３に記載の包装袋であって、前記開封開始部は、前記上下方向切り込み線部の長さが前記袋本体部の横方向の全周の長さの４％以上、８％以下であることを特徴とする。
【００１６】
請求項４に記載の発明によれば、前記上側横方向切り込み線部及び前記下側横方向切り込み線部の延長方向に切り裂きにより切り取られる前記上側横方向切り込み線部と前記下側横方向切り込み線部の間の帯状の切り取り片は、前記上側横方向切り込み線部及び前記下側横方向切り込み線部の延長方向に切り裂きが進むに従って幅が減少し、先細りの状態になるが、前記上下方向切り込み線部の長さを、前記袋本体部の横方向の全周の長さに対して上記の比率にすることにより、前記袋本体部の横方向の全周に亘って確実に切り裂き、帯状の切り取り片として切り取ることができる。
【００１７】
請求項５に記載の発明は、請求項２乃至４のいずれか１項に記載の包装袋であって、前記開封開始部は、略エ字型、略Ｚ字型あるいは略コ字型であることを特徴とする。
【００１８】
請求項５に記載の発明によれば、前記開封開始部は、略エ字型、略Ｚ字型あるいは略コ字型であるので、前記開封開始部を立ち上げたとき、摘まみやすい開封開始部片を得ることができ、また、単純な構成なので、ミシン目を形成する切れ目部が少なく、ミシン目から外気や菌などの前記袋本体内への侵入を抑えることができる。
【００１９】
請求項６に記載の発明は、請求項１乃至５のいずれか１項に記載の包装袋であって、前記横引き裂き性樹脂フィルムは、ガスバリア性樹脂フィルムであることを特徴とする。
【００２０】
請求項６に記載の発明によれば、前記横引き裂き性樹脂フィルムは、ガスバリア性樹脂フィルムであるので、被包装物が香り付きの製品である場合、前記横引き裂き性樹脂フィルムにより香料の透過が阻止される。そして、前記袋本体部に設けられているミシン目は取出口を開口する全域に設けられているのでは無く、取出口を開口するための前記開封開始部の部分のみがミシン目となっているので、ミシン目を通して前記袋本体部の内外を流通する空気は僅かであり、被包装物を包装した包装袋の流通、保管、店頭での陳列、家庭での保管等で長期間保存しても、ミシン目を通して前記袋本体部の内外を流通する空気は僅かであり、前記袋本体部から香料が揮散して使用時には製品の香りが弱くなったり、香料が変質したり、他の製品に香りが移ってしまうといったことを抑えることができる。
【００２１】
請求項７に記載の発明は、請求項６に記載の包装袋であって、前記ガスバリア性樹脂フィルムは、エチレン・ビニルアルコール共重合体からなることを特徴とする。
【００２２】
請求項７に記載の発明によれば、エチレン・ビニルアルコール共重合体は横に裂ける性質を有しているので、前記袋本体部の側面に、横方向に取出口を容易に開封することができる。
【００２３】
請求項８に記載の発明は、請求項１乃至７のいずれか１項に記載の包装袋であって、前記フィルム体の厚さは２０μｍ以上、４０μｍ以下、前記横引き裂き性樹脂フィルムの厚さは前記フィルム体全体の３％以上、１３％以下であることを特徴とする。
【００２４】
請求項８に記載の発明によれば、前記フィルム体の厚さは２０μｍ以上、４０μｍ以下であるので、前記フィルム体で成形される前記袋本体部の風合いと強度の良好なバランスが得られる。また、前記横引き裂き性樹脂フィルムの厚さは前記フィルム体全体の３％以上、１３％以下であるので、良好な横引き裂き性が得られ、前記横引き裂き性樹脂フィルムが前記ガスバリア性樹脂フィルムであると、香料の透過の抑えと横引き裂き性の良好なバランスが得られる。
【００２５】
請求項９に記載の発明は、請求項１乃至８のいずれか１項に記載の包装袋の前記袋本体部でロール製品を包装したロール製品パッケージであり、複数個のロール製品が前記袋本体部に上下に重ねられて複数列包装されていることを特徴とする。
【００２６】
請求項９に記載の発明によれば、前記袋本体部の側面に設けられているミシン目からなる開封開始部を指で押してミシン目を破断し、開封開始部片を摘まんで前記袋本体部の側面の周囲に沿って横方向に引っ張って前記袋本体部の側面に取出口を開封し、前記取出口から前記袋本体部に包装されているロール製品を取り出すことができる。
【００２７】
請求項１０に記載の発明は、請求項９に記載のロール製品パッケージであって、前記袋本体部の側面に設けられている前記開封開始部は、上下に重ねられたロール製品の境界部で、横方向に隣接するロール製品の中間部に設けられていることを特徴とする。
【００２８】
請求項１０に記載の発明によれば、前記取出口の開封に際し、前記袋本体部の側面に設けられている前記開封開始部は、横方向に隣接するロール製品の中間部に設けられているので、ミシン目からなる前記開封開始部を指で押したとき、指は隣接するロール製品の中間部に形成される空間に入り、ロール製品に傷をつけることなくミシン目を容易に破断することができる。そして、前記開封開始部は上下に重ねられたロール製品の境界部に設けられているので、前記開封開始部を指で押してミシン目を破断し、開封開始部片を摘まんで前記袋本体部の側面の周囲に沿って横方向に引っ張ることにより前記袋本体部の側面に開封された取出口は、上下に重ねられたロール製品の境界部に開口することになり、下側にあるロール製品は前記袋本体部に包装された状態のままで、前記取出口から前記袋本体部に包装されている上側にあるロール製品を取り出すことができる。
【発明の効果】
【００２９】
本発明に係る包装袋及びその包装袋を用いたロール製品パッケージによれば、ミシン目からの包装袋内外の空気の移動を少なくすることができ、被包装物の十分な保護を図ることができ、被包装物が香り付きの製品である場合、製品の香りが弱くなったり、香料が変質したり、他の製品に香りが移ってしまうといったことを効果的に抑えることができる。また、袋本体部の側面に衝撃を受けても、取出口の不用意な開封を効果的に防止することができる。そして、ミシン目からなる開封開始部を指で押してミシン目を破断し、開封開始部片を摘まんで袋本体部の側面の周囲に沿って横方向に引っ張ることにより、フィルム体で成形されている袋本体部を引き裂き、これにより前記袋本体部の側面に、横方向に取出口を開封することができ、取出口から袋本体部に包装されているロール製品を取り出すことができる。
【図面の簡単な説明】
【００３０】
【図１】本発明に係る包装袋の実施の形態の一例を示す平面図である。
【図２】本発明に係る包装袋の袋本体部を成形するフィルム体を示す一部拡大断面図である。
【図３】図１の包装袋の袋本体部の側面に設けられた開封開始部を示す拡大説明図である。
【図４】（Ａ）、（Ｂ）は開封開始部の他例を示す拡大説明図である。
【図５】図１の包装袋の袋本体部の側面に設けられた開封開始部から取出口を開封する方法を示す拡大説明図である。
【図６】本発明に係るロール製品パッケージの実施の形態の一例を示す斜視図である。
【図７】図６に示すロール製品パッケージの取出口の開封方法を示す説明図である。
【図８】図６に示すロール製品パッケージの取出口を開封した状態を示す説明図である。
【発明を実施するための形態】
【００３１】
以下、本発明に係る包装袋及びその包装袋を用いたロール製品パッケージの実施の形態の一例を、図面を参照して詳細に説明する。
先ず、本発明に係る包装袋の実施の形態の一例を図１乃至図５により説明する。
図１は扁平状に畳まれた本発明に係る包装袋を示す平面図、図２は本発明に係る包装袋の袋本体部を成形するフィルム体を示す一部拡大断面図、図３は図１の包装袋の袋本体部の側面に設けられた開封開始部を示す拡大説明図、図４（Ａ）、（Ｂ）は開封開始部の他例を示す拡大説明図、図５は図１の包装袋の袋本体部の側面に設けられた開封開始部から取出口を開封する方法を示す拡大説明図である。
【００３２】
以下の説明において、包装袋における袋本体の上下方向とは、袋本体の天面が配される上端側から底面が配される下端側に亘る方向を示し、袋本体の横方向とは、袋本体の上下方向に略直交する方向を示す。
【００３３】
本発明の包装袋１は、多層フィルムであるフィルム体２から成形されており、複数の被包装物（図示せず）を収容して包装する筒状の袋本体部３を備え、袋本体部３の上端側には持手部４を備えている。
【００３４】
フィルム体２は、横引き裂き性樹脂フィルム２ａの両面にシーラント層となる熱可塑性樹脂フィルム２ｂ，２ｃを積層した多層のフィルムで構成されている。
ここで横引き裂き性樹脂フィルム２ａとは、製膜過程での流れ方向（ＭＤ）に対して直交する方向（ＴＤ）を横方向として、その横方向に容易に引き裂くことができる方向性を有するフィルムのことをいう。このような横に裂ける性質を有している樹脂フィルムには、例えば、エチレン・ビニルアルコール共重合体、ポリメチルペンテン、横一軸延伸した高密度ポリエチレンまたは二軸延伸したポリプロピレンなどの樹脂フィルムが挙げられる。
【００３５】
横引き裂き性樹脂フィルム２ａとしては、横に裂ける性質を有しているガスバリア性樹脂フィルムを用いても良い。そのようなガスバリア性樹脂フィルムには、例えばエチレン・ビニルアルコール共重合体がある。
【００３６】
また、シーラント層となる熱可塑性樹脂フィルム２ｂ，２ｃとしては、フィルム体２を包装袋１に成形するのに十分な熱融着が可能であれば特に問わないが、ポリオレフィン系樹脂（直鎖状低密度ポリエチレン、低密度ポリエチレン、中密度ポリエチレン、高密度ポリエチレン、エチレン−酢酸ビニル共重合体、エチレン−プロピレン共重合体、エチレン−アクリル酸エステル共重合体）を用いることが望ましい。
【００３７】
フィルム体２の厚さは２０μｍ以上、４０μｍ以下であることが望まれる。
フィルム体２の厚さが２０μｍ以上、４０μｍ以下であると、フィルム体２で成形される袋本体部３の風合いと強度の良好なバランスが得られる。フィルム体２の厚さが２０μｍ未満であると、袋本体部３の強度が弱く破れ易くなり、また、４０μｍを超えると被包装物の包装加工に手間が掛かり、またコストアップにもなる。
【００３８】
また、横引き裂き性樹脂フィルム２ａの厚さはフィルム体２全体の３％以上、１３％以下であることが望まれる。
横引き裂き性樹脂フィルム２ａの厚さがフィルム体２全体の３％以上、１３％以下であると、良好な横引き裂き性が得られ、横引き裂き性樹脂フィルム２ａがガスバリア性樹脂フィルムであると、香料の透過の抑えと横引き裂き性の良好なバランスが得られる。
横引き裂き性樹脂フィルム２ａの厚さがフィルム体２全体の３％未満であるとフィルム体２が裂き難くなり、そして、横引き裂き性樹脂フィルム２ａがガスバリア性樹脂フィルムであると、香料の透過の抑えを十分に抑えることができない。また、１３％を超えるとフィルム体２が裂け易くなり、包装加工時のトラブルが発生しやすくなり、シーラント層となる熱可塑性樹脂フィルム２ｂ，２ｃが薄くなり、十分に熱融着できないおそれがある。
【００３９】
なお、フィルム体２には、製袋加工、印刷、包装加工、に対応して、静電防止剤、潤滑材、紫外線吸収剤、着色剤等の添加剤が１種以上配合されていても良い。
【００４０】
このように構成されるフィルム体２は、共押出インフレーション法、共押出Ｔダイ法、ドライラミネート法などの公知の方法で製造されるが、共押出インフレーション法によることが特に好ましい。共押出インフレーション法によれば、フィルム状に製造すると同時に筒状（袋状）に成形した場合にはコストの削減を図ることができる。
【００４１】
上記のように構成されたフィルム体２を用いて成形され包装袋１は、フィルム体２における横引き裂き性樹脂フィルム２ａの流れ方向が袋本体部３の上下方向を向くようにして成形されている。
【００４２】
袋本体部３の側面には、袋本体部３の横方向へ引っ張り袋本体部３を切り裂いて取出口５を開封するためのミシン目６からなる開封開始部７が設けられている。
ミシン目６は取出口５を開封する全域に設けられているのでは無く、取出口５を開封するための開封開始部７の部分のみがミシン目６となっているので、ミシン目６を通して袋本体部３の内外を流通する空気は僅かとなり、ミシン目６から外気や菌などが袋本体部３内へ侵入することが抑えられる。
【００４３】
ミシン目６からなる開封開始部７は、上下に略平行に配置され袋本体３の横方向に延在する上側横方向切り込み線部６ａ及び下側横方向切り込み線部６ｂと、上側横方向切り込み線部６ａと下側横方向切り込み線部６ｂの間に配置され上側横方向切り込み線部６ａと下側横方向切り込み線部６ｂを繋ぐように袋本体３の上下方向に延在する上下方向切り込み線部６ｃとで構成されている。
本例では、開封開始部７は略エ字型となっているが（図３参照。）、これに限られるものではなく、例えば、図４（Ａ）、（Ｂ）に示すように略Ｚ字型、略コ字型であってもよい。
【００４４】
この開封開始部７を構成する上下方向切り込み線部６ｃを指で押すことにより、上下方向切り込み線部６ｃと、上側横方向切り込み線部６ａ及び下側横方向切り込み線部６ｂを切断し、開封開始部７を開封開始部片７ａとして立ち上げ、開封開始部片７ａを摘まみ、開封開始部片７ａを袋本体部３の側面の周囲に沿って横方向に引っ張ることにより、フィルム体２は横引き裂き性樹脂フィルム２ａの性質により上側横方向切り込み線部６ａ及び下側横方向切り込み線部６ｂの端部から延長線方向に引き裂かれ、袋本体部３の側面に、横方向に取出口５が開封される（図５参照。）。
【００４５】
開封開始部７は、上側横方向切り込み線部６ａ及び下側横方向切り込み線部６ｂの長さＬ１が１０ｍｍ以上、上下方向切り込み線部６ｃの長さＬ２が２０ｍｍ以上〜５０ｍｍ以下であることが望ましい。
上側横方向切り込み線部６ａ及び下側横方向切り込み線部６ｂの長さＬ１が１０ｍｍ以上、上下方向切り込み線部６ｃの長さＬ２が２０ｍｍ以上〜５０ｍｍ以下であると、前記上下方向切り込み線部６ｃを指で押して、上下方向切り込み線部６ｃと、上側横方向切り込み線部６ａ及び下側横方向切り込み線部６ｂを切断して、開封開始部７を立ち上げた開封開始部片７ａは摘まみ易く、開封開始部片７ａを袋本体部３の側面の周囲に沿って横方向に引っ張ったとき、上側横方向切り込み線部６ａ及び下側横方向切り込み線部６ｂに効果的に引っ張り力を伝達し、袋本体部３を上側横方向切り込み線部６ａ及び下側横方向切り込み線部６ｂに沿って、上側横方向切り込み線部６ａ及び下側横方向切り込み線部６ｂの延長方向に切り裂き、袋本体部３の側面に、横方向に取出口５を容易に開封することができる。
【００４６】
上側横方向切り込み線部６ａ及び下側横方向切り込み線部６ｂの長さＬ１が１０ｍｍ未満、上下方向切り込み線部６ｃの長さＬ２が２０ｍｍ未満であると開封開始部７を立ち上げた開封開始部片７ａは摘まみ難く、また、上下方向切り込み線部６ｃの長さＬ２が５０ｍｍを超えると開封開始部片７ａを袋本体部３の側面の周囲に沿って横方向に引っ張ったとき、引っ張り力が分散し、上側横方向切り込み線部６ａ及び下側横方向切り込み線部６ｂに効果的に引っ張り力を伝達できず、上側横方向切り込み線部６ａ及び下側横方向切り込み線部６ｂの延長方向に切り裂きが困難となり、取出口５の開封が困難となる場合がある。
【００４７】
また、開封開始部７における上下方向切り込み線部６ｃの長さＬ２は袋本体部３の横方向の全周の長さの４％以上、８％以下であることが望ましい。上側横方向切り込み線部６ａ及び下側横方向切り込み線部６ｂの延長方向に切り裂きにより切り取られる上側横方向切り込み線部６ａと下側横方向切り込み線部６ｂの間の帯状の切り取り片８は、上側横方向切り込み線部６ａ及び下側横方向切り込み線部６ｂの延長方向に切り裂きが進むに従って幅が減少し、先細りの状態になる。そこで、上下方向切り込み線部６ｃの長さＬ２を、袋本体部３の横方向の全周の長さに対して上記の比率にすれば、袋本体部３の横方向の全周に亘って確実に切り裂き、帯状の切り取り片８として切り取ることができる。
【００４８】
本例の包装袋１に包装されている被包装物は、例えば、トイレットペーパー、紙おむつ、生理用品などの紙製品や、タオルなどの布製品でも良く、また、これら紙製品や布製品またはウェットティッシュなどの液体を含むものを包装した紙製または樹脂製の容器などを被包装物としても良い。
【００４９】
本例の包装袋１による被包装物の包装は、以下の手順で行われる。
（Ａ）上記のように構成されたフィルム体２を筒状に成形する。筒状フィルムの成形は、矩形に切り出した一枚のフィルム体２のＴＤ端部を熱融着したり、または矩形に切り出した二枚のフィルム体２を流れ方向を揃えて向かい合わせ、対向するＴＤ端部同士を熱融着したりすることによってもできるが、上記の共押出インフレーション法を用いて筒状フィルムを得ることが簡便であり好ましい。
（Ｂ）成形した筒状フィルムの一端開口部と他端開口部の間に亘る方向を袋本体部３の上下方向として、袋本体部３となる筒状フィルム内に被包装物を収容する。
なお、被包装物を筒状フィルム内に収容する前にあらかじめ筒状フィルムの一端開口部と他端開口部のいずれか一方を封止し、袋本体部３の天面或いは底面を形成しておいてもよい。
（Ｃ）筒状フィルムを公知の包装形態に成形する。包装の形態は、ガゼット包装、ピロー包装、キャラメル包装等がある。そして、被包装物を収容した筒状フィルムの開口部を熱融着することにより封止し、一方の封止面を天面とし、他方の封止面を底面とし、天面となる封止面には持手部４を形成する。このようにして被包装物が包装される。
【００５０】
次に、上記包装袋を用いたロール製品パッケージの実施の形態の一例を図６乃至図８により説明する。
図６は本発明に係るロール製品パッケージを示す斜視図、図７は図６に示すロール製品パッケージの取出口の開封方法を示す説明図、図８は図６に示すロール製品パッケージの取出口を開封した状態を示す説明図である。
【００５１】
ロール製品パッケージ２０は、本発明の包装袋１に複数個のロール製品２１が包装されている。
更に詳細には、縦横２列にロール製品２１を並べ、それを上下方向にロール製品２１の巻心を揃えて３個重ね、本発明の包装袋１における袋本体部３内に収容して包装している。
本発明のロール製品パッケージ２０のロール製品２１は、香り付け加工がされたトイレットペーパーロールであるが、これに限定されるものではなく、例えば、キッチンペーパーロールやハンドタオルなどのロール製品が挙げられる。
【００５２】
本発明に係るロール製品パッケージ２０に用いられる包装袋１における袋本体部３の側面には、袋本体部３の横方向へ引っ張り袋本体部３を切り裂いて、袋本体部３内に包装されているロール製品２１を取り出すための取出口５を開封するためのミシン目６からなる開封開始部７が設けられている。本発明に係る包装袋１における袋本体部３の側面に設けられた開封開始部７の説明を援用する。
【００５３】
このように構成することにより、袋本体部３の側面に設けられているミシン目６からなる開封開始部７を指で押してミシン目６を破断し、開封開始部片７ａを摘まんで袋本体部３の側面の周囲に沿って横方向に引っ張ることにより袋本体部３の側面に取出口５を開封し（図７参照。）、取出口５から袋本体部３に包装されているロール製品２１を取り出すことができる。
【００５４】
本例では、袋本体部３の側面に設けられている開封開始部７は、上下に重ねられたロール製品２１の境界部で、横方向に隣接するロール製品２１の中間部に設けられている。
袋本体部３の側面に設けられている開封開始部７が、横方向に隣接するロール製品２１の中間部に設けられていると、取出口５の開封に際し、開封開始部７を指で押したとき、指は隣接するロール製品２１の中間部に形成される空間に入り、ロール製品２１に傷をつけることなく開封開始部７となるミシン目６を容易に破断することができる。そして、開封開始部７が上下に重ねられたロール製品２１の境界部に設けられていると、開封開始部７を指で押してミシン目６を破断し、開封開始部片７ａを摘まんで袋本体部３の側面の周囲に沿って横方向に引っ張ることにより袋本体部３の側面に開封された取出口５は、上下に重ねられたロール製品２１の境界部に開口することになり、袋本体部３の横方向の全周に亘って切り裂き取出口５を開封すると、下側にあるロール製品２１は前記袋本体部３に包装された状態のままで、上側にあるロール製品２１の大部分が露出するので（図８参照。）、取出口５から上側にあるロール製品２１を容易に取り出すことができる。
【００５５】
また、袋本体部３の側面に設けられている開封開始部７となるミシン目６は取出口５を開封する全域に設けられているのではなく、取出口５を開封するための開封開始部７の部分のみがミシン目６となっているので、ミシン目６を通して袋本体部３の内外を流通する空気は僅かとなり、併せて袋本体部３を成形するフィルム体２の横引き裂き性樹脂フィルム２ａをガスバリア性樹脂フィルムとすることにより、香り付きのロール製品２１の香りが袋本体部３外へ揮散することを抑えることができ、香り付きのロール製品２１の香が弱くなったり、香料が変質したり、他の製品に香りが移ってしまうといったことを効果的に抑えることができる。
【符号の説明】
【００５６】
１  包装袋
２  フィルム体
２ａ  横引き裂き性樹脂フィルム
２ｂ，２ｃ  熱可塑性樹脂フィルム
３  袋本体部
４  持手部
５  取出口
６  ミシン目
６ａ  上側横方向切り込み線部
６ｂ  下側横方向切り込み線部
６ｃ  上下方向切り込み線部
７  開封開始部
７ａ  開封開始部片
８  切り取り片
２０  ロール製品パッケージ
２１  ロール製品
Ｌ１  上側・下側横方向切り込み線部の長さ
Ｌ２  上下方向切り込み線部の長さ
【図１】
2018034833.tif 000003
【図２】
2018034833.tif 000004
【図３】
2018034833.tif 000005
【図４】
2018034833.tif 000006
【図５】
2018034833.tif 000007
【図６】
2018034833.tif 000008
【図７】
2018034833.tif 000009
【図８】
2018034833.tif 000010